(57)【要約】【課題】燃焼ガスなどの熱によってレンジフードが加熱されても、レンジフードからの熱がキッチン天井などに伝わることを防ぐことができる熱絶縁機能を備えた化粧部材の取付け構造を提供する。【解決手段】加熱調理器Ｂの略上方に設置され、調理によって発生する汚染空気Ｇを屋外に排気するレンジフードＡとキッチン天井Ｋ１との間に取り付けられる化粧部材４の下端側に、不燃性で熱絶縁性を有する支持部材５を備えて、この支持部材５を介してレンジフードＡに化粧部材４を取り付けるようにした。【選択図】  図１
2010071588.tif 000002
【特許請求の範囲】
【請求項１】
加熱調理器の略上方に設置され、調理によって発生する汚染空気を屋外に排気するレンジフードとキッチン天井との間に取り付けられる化粧部材の取付け構造であって、
前記化粧部材の下端側に、不燃性で熱絶縁性を有する支持部材を備えて、この支持部材を介して前記レンジフードに取り付けることを特徴とする化粧部材の取付け構造。
【請求項２】
前記支持部材は、ネジ孔を加工し得る程度の幅と高さに形成されていることを特徴とする請求項１に記載の化粧部材の取付け構造。
【請求項３】
前記化粧部材の下端内側に、前記支持部材を取り付ける取付け部を備えていることを特徴とする請求項１または請求項２に記載の化粧部材の取付け構造。
【請求項４】
前記取付け部は、前記化粧部材の下端から延設させた延設部分を下端内側に折り返すことにより、前記化粧部材の下端縁から前記支持部材の高さ以下の高さで前記下端内側に一体に形成されることを特徴とする請求項１から請求項３のいずれかに記載の化粧部材の取付け構造。
【請求項５】
前記取付け部は、前記化粧部材の下端縁から前記支持部材の高さ以下の高さで前記化粧部材の下端内側に取り付けられる別部材により、前記下端内側に形成されることを特徴とする請求項１から請求項３のいずれかに記載の化粧部材の取付け構造。
【請求項６】
前記取付け部は、前記化粧部材の下端内側との間で前記支持部材を挟持する挟持片部を備え、さらに、この挟持片部の開放縁を前記下端内側に向けて折り返すことにより当該開放縁に抜け止め係止部を備えてなり、
前記支持部材は、前記抜け止め係止部用の係止溝部を備えていることを特徴とする請求項１から請求項５のいずれかに記載の化粧部材の取付け構造。
【発明の詳細な説明】
【技術分野】
【０００１】
本発明は、調理中に加熱調理器や調理鍋などから舞い上がる燃焼ガス、湯煙や油煙などの汚染空気を吸引捕獲して屋外に排気するレンジフードとキッチン天井との間に取り付けられる化粧部材の取付け構造に関する。
【背景技術】
【０００２】
調理中に加熱調理器や調理鍋などから舞い上がる燃焼ガス、湯煙や油煙などの汚染空気を吸引捕獲して屋外に排気するレンジフードは、その全体が鋼板などの金属製板材を用いて形成されている。そして、レンジフードは、加熱調理器から離された高い所に設置される。その理由は、あまり低い位置に設置すると、油脂分捕獲フィルタなどに捕獲回収された油脂分が、加熱調理器から舞い上がる燃焼ガスなどの熱によって引火を引き起こす危険があるために、その危険を回避する高さに設置することが義務つけられている。一般的には消防法などによって定められている加熱調理器の上面から８００ｍｍ離された略上方位置とされている。
【０００３】
そして、加熱調理器から離されて設置されるレンジフードは、キッチン天井との間において露出する送風機ユニットや屋外に配管される排気ダクトなどを目隠すために、フード部の上面（天板）とキッチン天井との間に幕板などの化粧部材を取り付けている（特許文献１から特許文献３などを参照）。これにより、送風機ユニットや排気ダクトが使用者から目視されないようにしている。
【０００４】
化粧部材は、一般的に、レンジフードと同じく鋼板などの金属製板材を用いて種々の断面形状、例えば、特許文献１に開示されているように、フード部の上面からキッチン天井に至る高さを有する略平板形状に形成され、下端縁がフード部の上面（天板）にネジ止めによって要所が固着されるように形成されている。
そのために、化粧部材の下端縁には、略直角に折り曲げられた所望の幅を有する固着縁辺部が備えられており、この固着縁辺部の要所にはバーリング加工により形成されているネジ孔を備えている。これにより、化粧部材の下端縁は固着縁辺部をフード部の上面（天板）にネジ止めによって直付けすることで、フード部に強靭に固着されるようにしている。
【特許文献１】特開２００７−１０７７５１号
【特許文献２】特開２００５−２２６９１５号
【特許文献３】特開平１０−２０５８４６号
【発明の開示】
【発明が解決しようとする課題】
【０００５】
ところで、レンジフードは、前記したように、加熱調理器から離された高い所に設置されてはいるものの、調理中に加熱調理器から舞い上がってくる燃焼ガスなどの熱によってフード部が加熱されることがあり、この場合、前記した従来技術では、ネジ止めによるフード部の上面に直付けにて固着される固着縁辺部のフード部の上面（天板上）に対する接触が面接触であるが故に、加熱されたフード部の熱が化粧部材に短時間で伝わり易く、当該熱がキッチン天井などに伝わるおそれがあり、その対策が求められている。
【０００６】
そこで、本発明は、前記課題を解消するために創案されたものであり、燃焼ガスなどの熱によってレンジフードが加熱されても、レンジフードからの熱がキッチン天井などに伝わることを抑えることができる熱絶縁機能を備えた化粧部材の取付け構造を提供することにある。
【課題を解決するための手段】
【０００７】
前記課題を解決するために、本発明では、加熱調理器の略上方に設置され、調理によって発生する汚染空気を屋外に排気するレンジフードとキッチン天井との間に取り付けられる化粧部材の取付け構造であって、
前記化粧部材の下端側に、不燃性で熱絶縁性を有する支持部材を備えて、この支持部材を介して前記レンジフードに取り付けるようにしたことを特徴とする。
ここで、前記支持部材は、ネジ止め用のネジ孔を加工し得る程度の所望の幅と適宜の高さに形成され、さらに、この支持部材が取り付けられる前記化粧部材の下端内側に取付け部を備えていることが好適なものとなる。
そして、前記支持部材の材質としては特に限定されるものではないが、例えば、コンクリート、レンガ、瓦、陶磁器質タイル、石綿スレート、繊維強化セメント板、ガラス繊維混入セメント板（厚さが３ｍｍ以上、そしてボード用原紙の厚さが０．６ｍｍ以下のものに限る）、繊維混入珪酸カルシウム板（厚さが５ｍｍ以上）、モルタル、石、石膏ボード（厚さが１２ｍｍ以上）、グラスウール板などを挙げることができ、これらを用いて、例えば、ネジ止め用のネジ孔を加工し得る程度の所望の幅と高さを有する略ブロック形状にそれぞれ形成することができる。
【０００８】
このような構成によれば、化粧部材の下端側のレンジフードに対する取り付けは、不燃性で熱絶縁性を有する支持部材を介して行われる。これにより、化粧部材をレンジフードに面接触ではなく、線接触に近い状態としてレンジフードに取り付けることができる。
つまり、燃焼ガスなどの熱によって加熱されるレンジフードの熱は、支持部材によって化粧部材に伝わることを完全に遮断、または、化粧部材への熱伝導が抑えられる。
また、支持部材は、化粧部材の下端内側に設けられる取付け部に取り付けられた状態でレンジフードとの固着が行われることで、レンジフードに固着するときには、周知と同じ工法にて取り付け作業を行うことができる。例えば、周知と同様のネジ止め工法によって化粧部材の下端側をレンジフードに固着することができる。
【０００９】
また、本発明は、前記取付け部を、前記化粧部材の下端縁から延設させた延設部分を内側に折り返すことにより、前記化粧部材の下端縁から前記支持部材の高さ以下の高さで前記下端縁側に一体に形成、または、前記化粧部材の下端縁から前記支持部材の高さ以下の高さで前記下端内側に取り付けられた別部材によって形成するようにしたことを特徴とする。
ここで、前記化粧部材の下端縁から前記支持部材の高さ以下の高さは、略ブロック形状に形成されている前記支持部材を前記取付け部に、接着やねじ止めなどの所望の固着手段によって固着したときに、前記支持部材が、前記化粧部材の下端縁と面一に、または、当該下端縁からわずかにはみ出した状態で取り付けられることを意味する。これにより、前記化粧部材が前記レンジフードと前記キッチン天井との間に取り付けられたときに、前記化粧部材の下端縁が前記レンジフードに触れる、または、化粧部材の下端縁がレンジフードに直接触れずに、前記レンジフードからわずかに離れた（浮いた）状態となる。
【００１０】
このような構成によれば、化粧部材をレンジフードとキッチン天井との間に取り付けた上体において、支持部材の存在は使用者から目視されることはない。つまり、外観的には周知と全く同じ取付け形態で化粧部材をレンジフードとキッチン天井との間に取り付けることができる。
【００１１】
また、本発明では、前記取付け部が、前記化粧部材の下端内側との間で前記支持部材を挟持する挟持片部を備え、さらに、この挟持片部の開放縁を前記下端内側に向けて折り返すことにより当該開放縁に抜け止め係止部を備えてなり、前記支持部材は、前記抜け止め係止部用の係止溝部を備えていることを特徴とする。
ここで、前記支持部材は、前記化粧部材の下端縁から前記取付け部の高さに至る高さで、前記下端縁に沿う長さを有する長尺なブロック形状に形成され手いることが好適なものとなる。
【００１２】
このような構成によれば、支持部材の係止溝部を取付け部の抜け止め係止部に係止させるように、取付け部に対し、支持部材を差し込みスライドさせることで、支持部材を取付け部に取り付けることができる。
【発明の効果】
【００１３】
本発明の化粧部材の取付け構造は以上のように構成されていることで、燃焼ガスなどの熱によってレンジフードが加熱されても、レンジフードの熱が化粧部材を介してキッチン天井などに伝わることを抑えることができる。
【００１４】
また、化粧部材の下端側に取り付ける支持部材は、下端内側に折り曲げや別部材によって形成される取付け部に予め取り付けられた状態で、レンジフードに対するビス止めによる固着が行われることから、周知と変わらぬ取り付け工法にて化粧部材を、レンジフードとキッチン天井との間に取り付けることができる。
しかも、支持部材の存在が使用者側から目視されることがないために、外観的にも周知と全く変わらぬ状態で、化粧部材を、レンジフードとキッチン天井との間に取り付けることができる。
【発明を実施するための最良の形態】
【００１５】
以下、本発明の実施形態について、適宜図面を参照しながら詳細に説明する。
図１は、本発明の取付け構造を適用してレンジフードとキッチン天井との間に化粧部材（幕板）を取り付けた状態の全体を示す縦断側面図であり、図２は、同取付け構造を拡大して示す断面図である。
なお、レンジフードには、壁取付けタイプと、天井取付けタイプ（所謂アイランド）とがある。そして、加熱調理器から舞い上がる汚染空気を吸引捕獲するための捕獲空間の高さが低い薄型タイプと、捕獲空間が比較的に高く形成されているブーツ型タイプとがある。本実施形態では、壁取付けタイプで薄型タイプのレンジフードを一例に挙げて説明する。
【００１６】
≪レンジフードの構成≫
レンジフードＡは、図１に示すように、加熱調理器Ｂの略上方において設置され、調理中に、加熱調理器Ｂや調理鍋ｂなどから舞い上がる燃焼ガス、湯煙や油煙などの汚染空気Ｇを吸い込み捕集しながら排気ダクト３を通して屋外に排気するように構成されている。
このレンジフードＡは、周知の構成を呈している。すなわち、図１に示すように、薄型のフード部１と、このフード部１の上面に、該フード部１内と連通されて取り付けられるとともに、排気ダクト３を介して屋外に連通される送風機ユニット２とを備えて構成されている。
【００１７】
このように構成されているレンジフードＡは、専用の金具（図示省略）を用いて図１に示すように、キッチン壁面Ｋ１に取り付けられることで、加熱調理器Ｂの上面から８００ｍｍ離された略上方位置に設置される。
そして、図１に示すように、加熱調理器Ｂの略上方位置にて設置されたレンジフードＡのフード部１とキッチン天井Ｋ２との間における送風機ユニット２および排気ダクト３などを目隠すように、フード部１の上面（天板上）とキッチン天井Ｋ２との間に化粧部材４が取り付けられる。これにより、送風機ユニット２や排気ダクト３がキッチン室Ｋ側から使用者の視界に入らないようにしている。
【００１８】
≪化粧部材の構成≫
図３は、第１の実施形態に係る取付け構造の取付け部を備えた化粧部材を裏側から見たときの状態示す斜視図である。ここでは、図１および図２を適宜参照しながら説明する。
化粧部材４は、周知のように、鋼板などの金属製板材を用いた裁断加工と曲げ加工が施されることで、所望の大きさを有する平板形状に形成されている。そして、化粧部材４の表面側には塗装が施されている。
つまり、化粧部材４は、フード部１の両側に至る横幅寸法と、フード部１の天板１ａからキッチン天井Ｋ２に至る高さ寸法とを有する略平板形状に形成されている、所謂幕板である。
【００１９】
なお、幕板としての化粧部材４には、図１に示すように、キッチン室Ｋ側に面する送風機ユニット２の前側を目隠すようにフード部１の天板１ａとキッチン天井Ｋ２との間に取り付けられる前面幕板、そして、この前面幕板と同じ高さ寸法を有し、送風機ユニット２の側方を目隠すように前面幕板とキッチン壁面Ｋ１との間に取り付けられる側面幕板とがある。
つまり、化粧部材４は、一般的に幕板と称されて前面用と側面用があり、キッチン室Ｋ側に面する送風機ユニット２の前側と、図示省略の側方とを目隠すように取り付けられる。
【００２０】
そして、このように形成されている化粧部材４の下端内側に、図１および図３に示すように、内向きに突出させた取付け構造の取付け部６を備え、この取付け部６にフード部１の天板１ａにネジ１３を用いて取り付けるための取付け構造を構成する支持部材７を備えている。
これにより、化粧部材４の下端縁４ａを、図１および図２の（ａ）に示すように、フード部１の天板１ａに対し、線接触状態で支持部材７を介して強靭に取り付けることができる構成としている。
【００２１】
なお、図３に二点鎖線で示すように、化粧部材４の両側辺縁と上辺縁との一連に連なるように内向き（裏面側）に折り曲げ形成される補強縁片部８を必要に応じて設けることができる。これにより、略平板形状の化粧部材４に撓みなどを防ぐための剛性を付与することができる。
【００２２】
≪第１の実施形態に係る取付け構造の構成≫
取付け部６は、図３に示すように、化粧部材４の下端縁４ａから延設させた延設部分９を、下端内側に沿うように折り返した後、さらに、その折返し開放端側を内側（送風機ユニット２側）折り返すように曲げ加工を施すことで、図２に示すように、化粧部材４の下端縁４ａから後記の断面視で略ブロック形状される支持部材７の高さＬ２と同じ高さＬ１をおいて化粧部材４の下端内側（裏側）に一体に形成されるようにしている。
そして、取付け部６には、ネジ１０を用いて支持部材７を取り付けるためのネジ挿通孔１１が、化粧部材４の下端縁４ａに沿う長さ方向の要所においてそれぞれ設けられている。
【００２３】
≪支持部材の構成≫
図４は、取付け構造の支持部材を示す斜視図である。ここでは、図１から図３を適宜参照しながら説明する。
支持部材７は、不燃性で熱絶縁性を有する材料を用いて形成されている。その具体例としては、コンクリート、レンガ、瓦、陶磁器質タイル、石綿スレート、繊維強化セメント板、ガラス繊維混入セメント板（厚さが３ｍｍ以上およびボード用原紙の厚さが０．６ｍｍ以下のものに限る）、繊維混入珪酸カルシウム板（厚さが５ｍｍ以上）、モルタル、石、石膏ボード（厚さが１２ｍｍ以上）、グラスウール板などを挙げることができる。
そして、支持部材７は、図１、図２および図４に示すように、ネジ孔１２を形成することができる幅と所望の高さＬ２を有する縦長の略ブロック形状で、化粧部材４の下端縁４ａに沿う長さに形成されている。
このように形成されている支持部材７の長さ方向の要所、つまり、前記取付け部６に設けられているネジ挿通孔１１と同じピッチをおいた長さ方向にネジ孔１２が孔明け加工とネジ加工により備えられている。
【００２４】
なお、図１、図２、および図４に示すように、支持部材４の上下に貫通させたネジ孔１２を用いて、取付け部６へのネジ１０による取り付けと、フード部１の天板１ａへのネジ１３による取り付けとを行うようにしているが、ネジ１０止め用のネジ孔とネジ１３止め用のネジ孔とを、支持部材７の長さ方向において交互にずらすようにすることができる。つまり、後記の図６に示すように、ネジ１０止め用のネジ孔とネジ１３止め用のネジ孔とを支持部材７の高さＬ２の半分程度か、それ以下の深さとして支持部材７の長さ方向の上面側と下面側においてそれぞれ交互に形成することができる。
【００２５】
[作用説明]
つぎに、以上のように構成されている取付け構造による化粧部材（前面幕板）４の取り付けについて簡単に説明する。ここでは、図１および図２を適宜参照しながら説明する。
支持部材７は、レンジフードＡの製作工場などにおいて、化粧部材４の取付け部６に予めネジ１０によって、取付け部６に備えられて化粧部材４とともに、レンジフードＡの設置が行われる現場へ搬入される。
そして、レンジフードＡの設置現場において、レンジフードＡが設置された後に、化粧部材４の直立取付け位置に合わせてフード部１の天板１ａに設けられているネジ挿通孔１４からネジ１３を支持部材７のネジ孔１２にねじ込む周知の取付け作業を行うことで、化粧部材を、図１に示すように、フード部の天板とキッチン天井との間に、送風機ユニットおよび排気ダクトを目隠すように取り付けることができる。
このとき、化粧部材４の下端縁４ａから取付け部６までの高さＬ１と支持部材７の高さＬ２とが同じである場合、支持部材７は、化粧部材４の下端縁４ａと面一の状態でその下端内側に取り付けられる。これにより、フード部１の天板１ａに支持部材７を介してネジ止め固着される化粧部材４の下端縁４ａは、図２の（ａ）に示すように、天板１ａに接触された取付け形態で該天板１aに取り付けられる。
一方、化粧部材４の下端縁４ａから取付け部６までの高さＬ１が支持部材７の高さＬ２よりもわずかに低い場合には、支持部材７は、化粧部材４の下端縁４ａからわずかにはみ出した状態でその下端内側に取り付けられる。これにより、フード部１の天板１ａに支持部材７を介してネジ止め固着された化粧部材４の下端縁４ａは、図２の（ｂ）に示すように、天板１ａに直接触れずに、天板１ａからわずかに離れた（浮いた）取付け形態でで該天板１aに取り付けられる。
【００２６】
≪第２の実施形態に係る取付け構造の構成≫
図５は、第２の実施形態に係る取付け構造の取付け部を備えた化粧部材を裏側から見たときの状態と、支持部材とをそれぞれ示す斜視図であり、図６は、取付け部に支持部材を取り付けた状態を示す要部の拡大断面図である。
この第２の実施形態に係る取付け構造では、取付け部に対する支持部材の取り付けを、前記のネジ１０を用いることなく行う構成としている。それ以外の構成要素において前記の実施形態と基本的に同じことから、同じ構成要素に同じ符号を付することで重複説明は省略する。
【００２７】
すなわち、図５および図６に示すように、支持部材７の幅に相当する取付け部６の内向き開放縁から支持部材７の高さＬ１方向の途中部位に至るように下向きに折り曲げ延設させた挟持片部１５を備え、さらに、この挟持片部１５の下端縁（開放縁）を化粧部材４の下端内側に向けて略直角に折り返すことで、当該部に抜け止め係止部１６を備えている。
一方、支持部材７側には、図５に示すように、高さＬ２方向の途中部位においてその長さ方向にわたる抜け止め係止部１６用の係止溝部１７を備えている。
これにより、取付け部６に対し、支持部材７を、図５に示す矢印方向から差し込むようにスライドさせることで、図６に示すように、支持部材７を取付け部６に下方に抜けないように取り付けることができる。
【００２８】
≪第３の実施形態に係る取付け構造の構成≫
図７は、第３の実施形態に係る取付け構造の取付け部を備えた化粧部材を裏側から見たときの状態を示す斜視図である。
この第３の実施形態に係る取付け構造では、別部材を用いて、化粧部材４の下端内側に取付け部６を備える構成としている。それ以外の構成要素において前記の実施形態と基本的に同じことから、同じ構成要素に同じ符号を付することで重複説明は省略する。
【００２９】
すなわち、図７に示すように、金属性板材を用いて断面視で略Ｌ字形状で、化粧部材の下端縁１ａを沿う長さに形成されている別部材１８を、化粧部材の下端内側に、溶接などの固着手段によって取り付けることで、下端縁から高さＬ１の位置に取付け部６−１が形成されるようにしている。そして、この取付け部に６−１は、ネジ挿通孔１１が備えられている。
【００３０】
以上のように構成されている本実施形態に係る取付け構造によれば、化粧部材４の下端側のレンジフードＡに対する取り付けは、不燃性で熱絶縁性を有する支持部材７を介して行われる。これにより、図２の（ａ）に示すように、化粧部材４の下端縁４ａをレンジフードのフード部１に面接触ではなく、線接触状態として化粧部材４の下端側をレンジフードに取り付けることができる。
つまり、燃焼ガスなどの熱によって加熱されるレンジフードＡの熱は、支持部材７によって化粧部材４に短時間で伝わることを抑えることができる。
また、図２の（ｂ）に示すように、化粧部材４の下端縁４ａをレンジフードのフード部１からわずかに離した非接触状態として化粧部材４の下端側をレンジフードに取り付けることができることで、レンジフードＡの熱が化粧部材４に伝わることを完全に遮断することができる。
【００３１】
また、支持部材７は、化粧部材４の下端内側に設けられる取付け部６，６−１に取り付けられた状態でレンジフードＡのフード部１との固着が行われることで、レンジフードＡに固着するときには、周知と同じ工法にて取り付け作業を行うことができる。例えば、周知と同様のネジ１３を用いてネジ止め工法によって化粧部材４の下端側をレンジフードＡに固着して、キッチン天井Ｋ２との間に化粧部材４を取り付けることができる。
【００３２】
なお、本発明の実施形態の具体的な構成は、前記した第１〜第５の各実施形態に限られるものではなく、請求項１から請求項５に記載の本発明の要旨を逸脱しない範囲で設計変更などがあっても本発明に含まれるものである。
例えば、化粧部材４は、略平板形状の幕板に限らず、送風機ユニット２の前側と両側方に位置して、該送風機ユニット２を目隠すように横断面視で略コの字形状、あるいは、送風機ユニット２の周囲を目隠すように横断面視で略角型筒形状に形成されている、所謂ダクトカバーと称されている形態でもよく、任意である。
【００３３】
また、支持部材７の取付け部６,６―１への取付けは、ネジ止め以外の接着やその他の固着手段を用いて行うことができる。接着による取付けでは、取付け部６,６―１への接着とともに化粧部材４の裏面に接着することにより、支持部材７の取り付け状態をより一層強靭にすることができる。
【００３４】
また、支持部材７は、化粧部材４の下端縁４ａに沿う長さ全長に取り付けずに、短尺なブロック形状に形成して、例えば、ネジ１３によってフード部１の天板１ａに固着される化粧部材４の下端縁４ａの要所のみに支持部材７を取り付けるようにすることができる。
【図面の簡単な説明】
【００３５】
【図１】本発明の取付け構造を適用してレンジフードとキッチン天井との間に化粧部材（幕板）を取り付けた状態の全体を示す縦断側面図である。
【図２】同取付け構造を拡大して示す断面図であり、（ａ）は、化粧部材の下端縁をフード部の天板に接触させた状態を示し、（ｂ）は、化粧部材の下端縁をフード部の天板からわずかに離した状態を示す。
【図３】第１の実施形態に係る取付け構造を構成する取付け部を備えた化粧部材を示す斜視図である。
【図４】第１の実施形態に係る取付け構造を構成する支持部材を示す斜視図である。
【図５】第２の実施形態に係る取付け構造を構成する取付け部を備えた化粧部材と、当該取付け部に取り付けられる支持部材とを示す斜視図である。
【図６】同第２の実施形態に係る取付け構造を拡大して示す断面図である。
【図７】第３の実施形態に係る取付け構造を構成する取付け部を備えた化粧部材を示す斜視図である。
【符号の説明】
【００３６】
Ａ      レンジフード
１      フード部
１ａ    天板
２      送風機ユニット
３      排気ダクト
４      化粧部材（幕板、ダクトカバーなど）
６      取付け部（取付け構造）
７      支持部材（取付け構造）
９      延長部分
１０，１３  ネジ
１２    ネジ孔
１６    抜け止め係止部
１７    係止溝部
１８    別部材
【図１】
2010071588.tif 000003
【図２】
2010071588.tif 000004
【図３】
2010071588.tif 000005
【図４】
2010071588.tif 000006
【図５】
2010071588.tif 000007
【図６】
2010071588.tif 000008
【図７】
2010071588.tif 000009